(57)【特許請求の範囲】
【請求項１】
それぞれの高齢単独生活者の住居に配置されたタ−ミナル装置には、少なくとも、高齢単独生活者の身体状態を検知する身体状態検知センサ−と、センタ−の担当者とのコミニケ−ションのためのタ−ミナル側テレビ電話と、前記身体状態検知センサ−により検知された身体デ−タを記憶するとともに記憶した身体デ−タを公衆電話回線を介して前記センタ−に伝送するデ−タ伝送手段とを備える一方、センタ−に配置されて前記それぞれの高齢単独生活者の生活情報を収集するセンタ−装置には、少なくとも前記それぞれのタ−ミナル装置のデ−タ伝送手段から公衆電話回線を介して伝送されてきた身体デ−タを入力して記憶するとともに所定時刻までに身体デ−タの入力が無い高齢単独生活者の氏名リストを作成し表示する一方、入力された身体デ−タを解析して当該高齢単独生活者の身体状態が異常か正常かを判定し、その判定結果を表示する状態判定手段と、その状態判定手段での表示に基づいて高齢単独生活者と前記タ−ミナル側テレビ電話を介してコミニケ−ションするためのセンタ−側テレビ電話とを備えたことを特徴とする高齢単独生活者情報システム。
【請求項２】
タ−ミナル装置には、緊急連絡用の非常連絡手段を備えたことを特徴とする請求項１の高齢単独生活者情報システム。
【発明の詳細な説明】
【０００１】
【産業上の利用分野】
本発明は、一人で生活する高齢者の生活を守るための高齢単独生活者情報システムに関する。
【０００２】
【発明の背景及び従来の技術】
近年、日本では６５歳以上の高齢単独生活者、即ち独居老人が約２００万人に達しようとしており、今後、ますます増加することが明らかになっている。そのため、独居老人の生活を守り、精神的、肉体的に健康な状態を維持することが緊急、且つ重要な課題になっている。本発明は、このような背景で生まれたものである。
従来、高齢単独生活者をケアするための手段として、ホ−ムヘルパ−がそれぞれの高齢単独生活者宅を所定期間毎に訪問して同生活者の様子を見たり、地区の担当者が、たまにそれぞれの同生活者宅に電話をして同人の状況を聞くなどの手段が採用されている。
【０００３】
【発明が解決しようとする課題】
しかしながら、上記従来の手段では、次のような問題がある。
（１）独居老人が在宅のまま、独居老人の健康状態を毎日定期的にチェックすることはできない。
（２）独居老人に緊急事態が発生したとき速やかにそれを知ることができない。
（３）あまり外出できない独居老人の孤独感を癒すことができない。
（４）電話では地区の担当者が独居老人の表情、及び健康状態を認識することが困難である。
【０００４】
そこで本発明では、独居老人と地区の担当者がテレビ電話でコミニケ−ションできるようにするとともに、在宅のまま、独居老人の健康状態を毎日定期的にチェックし、独居老人の健康状態に異常が発生したとき、速やかに地区の担当者が認識してそれに対処できるようにすることを解決すべき技術的課題とするものである。
【０００５】
【課題を解決するための手段】
本発明では、上記課題を解決するため、一人で生活する高齢者の生活を守るための高齢単独生活者情報システムを、それぞれの高齢単独生活者の住居に配置されたタ−ミナル装置には、少なくとも、高齢単独生活者の身体状態を検知する身体状態検知センサ−と、センタ−の担当者とのコミニケ−ションのためのタ−ミナル側テレビ電話と、前記身体状態検知センサ−により検知された身体デ−タを記憶するとともに記憶した身体デ−タを公衆電話回線を介して前記センタ−に伝送するデ−タ伝送手段とを備える一方、センタ−に配置されて前記それぞれの高齢単独生活者の生活情報を収集するセンタ−装置には、少なくとも前記それぞれのタ−ミナル装置のデ−タ伝送手段から公衆電話回線を介して伝送されてきた身体デ−タを入力して記憶するとともに所定時刻までに身体デ−タの入力が無い高齢単独生活者の氏名リストを作成し表示する一方、入力された身体デ−タを解析して当該高齢単独生活者の身体状態が異常か正常かを判定し、その判定結果を表示する状態判定手段と、その状態判定手段での表示に基づいて高齢単独生活者と前記タ−ミナル側テレビ電話を介してコミニケ−ションするためのセンタ−側テレビ電話とを備えた構成にすることである。
【０００６】
【作用】
上記のように構成された高齢単独生活者情報システムによれば、それぞれの高齢単独生活者宅に配置されたタ−ミナル装置とセンタ−に配置されたセンタ−装置とは公衆電話回線を介して接続されており、タ−ミナル装置のデ−タ伝送手段から、身体デ−タが公衆電話回線を介してセンタ−装置の状態判定手段に伝送される。そして、状態判定手段は、所定時刻までに身体デ−タの入力が無い高齢単独生活者の氏名リストを作成し表示する一方、入力された身体デ−タを解析して当該高齢単独生活者の身体状態が異常か正常かを判定し、その判定結果を表示するため、センタ−の担当者はその表示に基づいて高齢単独生活者とテレビ電話を介してコミニケ−ションし、適切な指示を与えるとともに、高齢単独生活者の孤独感を癒すように努める。
【０００７】
【実施例】
次に、本発明の実施例を図面を参照しながら説明する。
高齢単独生活者情報システムは、それぞれの高齢単独生活者宅に配置されたタ−ミナル装置と、それぞれの高齢単独生活者の生活をケアするセンタ−に配置されたセンタ−装置とを二線式の公衆電話回線を介して接続することにより、公衆電話回線を介してそれぞれの高齢単独生活者の生活情報を収集し、同生活者の生活を守るために設けられる。
図１は、それぞれの高齢単独生活者宅に配置されたタ−ミナル装置１の構成を示したブロック系統図である。また、図２はセンタ−に配置されたセンタ−装置２の構成を示したブロック系統図である。
【０００８】
図１に示すように、それぞれの高齢単独生活者の住居に配置されたタ−ミナル装置１は、中枢機能としてのマイクロコンピュ−タ−と、そのマイクロコンピュ−タ−と二線式の公衆電話回線ＴＷとを通信可能に接続するモデムとを内蔵した本体１１が構成されるとともに、それぞれの高齢単独生活者の身体状態を検知する身体状態検知センサ−１２と、公衆電話回線ＴＷと接続されて後述のセンタ−設置のテレビ電話との間で通話可能なテレビ電話１３と、それぞれの高齢単独生活者に緊急事態が起きたようなときに押されるワイヤレスの非常ボタン１４と、上記本体１１に内蔵され、非常ボタン１４から発信された操作信号を受信したうえ前記モデム及び公衆電話回線ＴＷを介して、その非常ボタン１４の操作信号をセンタ−に配置されたセンタ−装置２に伝送する非常ボタン用ワイヤレス受信機１５と、上記本体１１に内蔵されて高齢単独生活者に対する警告、あるいはセンタ−からの情報を音声で出力する音声出力スピ−カ−１６、及び上記警告、情報をＬＣＤ等の表示器に表示する表示ディスプレイ１７などを設けた構成になっている。
【０００９】
尚、上記身体状態検知センサ−１２としては、血圧センサ−、脈拍センサ−、体温センサ−、血糖値センサ−、尿蛋白量センサ−などがあり、その他、病状等に応じて適宜、選択使用される。また、前記非常ボタン１４はワイヤレスであっても有線式であっても良く、操作された時間がセンタ−の担当者の時間外である場合には、直接、警備保障会社、あるいは消防署等に連絡される。
【００１０】
一方、それぞれの高齢単独生活者が生活する地区のセンタ−、例えば市役所、区役所、役場等に設置されたセンタ−装置２は、図２に示すように、二線式の公衆電話回線ＴＷと通信可能に接続されたホストコンピュ−タ−２１が設けられ、そのホストコンピュ−タ−２１には、ケアの対象になる高齢単独生活者の数に応じた台数のパ−ソナルコンピュ−タ−２２が接続されている。そして、各パ−ソナルコンピュ−タ−２２には前記タ−ミナル装置１のテレビ電話１３と通話可能なテレビ電話２３が接続されており、それぞれのパ−ソナルコンピュ−タ−２２には地区の担当者が原則一人ずつ割り当てられる。
【００１１】
尚、ケア対象の高齢単独生活者が比較的少ない場合、例えば３０名以内の場合には、センタ−装置２は、図３に示すような小規模構成でも良い。即ち、二線式の公衆電話回線ＴＷと通信可能に接続されたハ−ドディスク内蔵のパ−ソナルコンピュ−タ−３１とテレビ電話３２の構成で良い。
【００１２】
以上のように、図１に示すような構成のタ−ミナル装置１と、図２又は図３に示すような構成のセンタ−装置２とが二線式の公衆電話回線ＴＷを介して通信可能に接続されると、高齢単独生活者情報システムの運用が可能になる。
以下、高齢単独生活者情報システムの運用について図１と図２を参照しながら説明する。
【００１３】
（１）それぞれの高齢単独生活者は、毎日ほぼ同じ時間に身体状態検知センサ−１２で、体温、血圧、脈拍等を計測すると、その計測デ−タはタ−ミナル装置１のマイクロコンピュ−タ−に入力され、記憶される。尚、定時までにこの計測デ−タがマイクロコンピュ−タ−に入力されない場合には、視力の弱い人には音声出力スピ−カ−１６から、また聴力の弱い人には表示ディスプレイ１７で体温、血圧、脈拍等の計測を促すための警報、表示が行われる。
【００１４】
（２）上記計測デ−タは、モデム及び二線式の公衆電話回線ＴＷを介してセンタ−装置２のホストコンピュ−タ−２１に伝送され、記憶される。
【００１５】
（３）ホストコンピュ−タ−２１は、定時までにホストコンピュ−タ−２１に身体計測デ−タが入力されていない高齢単独生活者の名前リストを作成し、それをパ−ソナルコンピュ−タ−２２の表示部に表示する。
【００１６】
（４）センタ−の担当者は、上記リストに表示された高齢単独生活者のタ−ミナル装置１にテレビ電話２３を用いて電話し、コンタクト出来なければホ−ムヘルパ−などの派遣行動を行う。
【００１７】
（５）一方、ホストコンピュ−タ−２１に身体計測デ−タが入力されている高齢単独生活者リストがパ−ソナルコンピュ−タ−２２の表示部に表示されると、センタ−の担当者は順次、それぞれの高齢単独生活者宅のタ−ミナル装置１に自動ダイヤルする。
【００１８】
（６）自動ダイヤルにより、それぞれの高齢単独生活者宅のタ−ミナル装置１とコンタクトされると、パ−ソナルコンピュ−タ−２２の表示部に各高齢単独生活者のデ−タベ−ス及び身体計測デ−タがグラフ表示される。
【００１９】
（７）そして、センタ−の担当者はテレビ電話２３の画面を見ながら当該高齢単独生活者と会話し、身体計測デ−タ、あるいは体調に異常があれば適切な助言をする。このテレビ電話２３，１３による会話で、センタ−の担当者は当該高齢単独生活者の身体的、及び精神的状態が確実に把握できる一方、当該高齢単独生活者もセンタ−の担当者の顔が見えるので、安心感が増し、孤独感が低減される。
【００２０】
（８）センタ−の担当者は、会話した当該高齢単独生活者の様子から、健康状態をランク分けし、そのランクをパ−ソナルコンピュ−タ−２２に入力する。
【００２１】
尚、高齢単独生活者が前記非常ボタン１４を押したときに、その操作信号はセンタ−のホストコンピュ−タ−２１に伝送され、パ−ソナルコンピュ−タ−２２の表示部に当該高齢単独生活者の氏名、及び電話番号が表示される。非常ボタン１４がセンタ−の担当者の職務時間外に押されたとき、その信号は前述のモデムの時間帯切替機能により警備保障会社や消防署に伝送される。
【００２２】
尚、図４は、高齢単独生活者情報システムの運用を拡張したシステム系統図であり
（１）各高齢単独生活者４１間で
（２）各高齢単独生活者４１と息子４２、娘４３あるいは孫４４との間でテレビ電話による会話を可能にすることにより、コミニュケ−ションの拡張を可能にすることを示したものである。
【００２３】
高齢単独生活者情報システムのデ−タベ−スとして、それぞれの高齢単独生活者の氏名、性別、住所、電話番号、生年月日（年齢自動計算）、性格、精神状態、経済力、かかりつけの病院、担当医師（電話番号を含む）、持病、既病歴、緊急連絡先（氏名、続柄、住所、電話番号）、コンタクト時の基礎デ−タ例えば血圧、心拍、体温など、コンタクト時までの血圧、心拍、体温のカラ−グラフなどが採用されている。
【００２４】
【発明の効果】
以上のように本発明によれば、高齢単独生活者と地区の担当者がテレビ電話でコミニケ−ションできるようにするとともに、在宅のまま、それぞれの高齢単独生活者の健康状態を毎日定期的にチェックし、高齢単独生活者の健康状態に緊急事態が発生したとき、速やかに地区の担当者がその緊急事態に対処することができるため、限られた人員で多くの高齢単独生活者をケアすることができるという効果がある。
また、テレビ電話でのコミニケ−ションにより、高齢単独生活者の孤独感を癒すことができるという効果がある。
【図面の簡単な説明】
【図１】それぞれの高齢単独生活者宅に配置されたタ−ミナル装置の構成を示したブロック系統図である。
【図２】センタ−に配置されたセンタ−装置の構成を示したブロック系統図である。
【図３】小規模センタ−装置の構成を示したブロック系統図である。
【図４】拡張システム系統図である。
【符号の説明】
１            タ−ミナル装置
２            センタ−装置
１１            本体
１２            身体状態検知センサ−
１３            テレビ電話
１４            非常ボタン
２１            ホストコンピュ−タ−
２２            パ−ソナルコンピュ−タ−
２３            テレビ電話
ＴＷ            二線式の公衆電話回線
【図１】
0003540371.tif 000002
【図２】
0003540371.tif 000003
【図３】
0003540371.tif 000004
【図４】
0003540371.tif 000005